(57)【要約】【課題】耐着霜性向上と伝熱面積向上によって熱交換性能に優れたフィンチューブ熱交換器を提供すること。【解決手段】積層される複数のフィン１と、前記フィン１を貫通する複数の伝熱管２と、を備え、前記フィン１は気流方向に対して山部６ａ、６ｂと谷部７が交互に出現するコルゲート状に形成されるとともに、気流１００方向に対してフィン１の中央より風下側、かつ、鉛直方向に隣接する伝熱管２の間の、前記山部６ｂの稜線上にルーバー９を設けたので、気流１００方向に対して、フィン１の中央より風下側にルーバー９を設けて耐着霜層性を向上させ、また、フィン１全体をコルゲート形状に形成するとともに、コルゲート形状を有効活用してルーバー９を形成するので、伝熱面積の増大、乱流促進を図ることができ、着霜の有無によらず熱交換性能に優れたフィンチューブ熱交換器を提供することができる。【選択図】図１
2014089019.tif 000002
【特許請求の範囲】
【請求項１】
積層される複数のフィンと、前記フィンを貫通する複数の伝熱管と、を備え、
前記フィンは気流方向に対して山部と谷部が交互に出現するコルゲート状に形成されるとともに、気流方向に対して前記フィンの中央より風下側、かつ、鉛直方向に隣接する伝熱管の間の、前記山部の稜線上にルーバーを設けたフィンチューブ熱交換器。
【請求項２】
前記ルーバーは、前記山部の稜線より風下側のフィンが立ち上げられて形成され、前記ルーバーは、気流方向に対して風下側のみに開口する開口部を有する請求項１に記載のフィンチューブ熱交換器。
【請求項３】
前記開口部の両端に形成される立ち上がり面は、気流方向に対して傾斜している請求項１または請求項２に記載のフィンチューブ熱交換器。
【請求項４】
前記ルーバーと、前記ルーバーと隣接する２つ伝熱管との最短距離を、それぞれＬ１ａおよびＬ１ｂとしたとき、Ｌ１ａとＬ１ｂとの和は、２つの前記伝熱管の間の最短距離Ｌ２と同一、または、２つの前記伝熱管の間の最短距離Ｌ２よりも大きい請求項１〜３のいずれか１項に記載のフィンチューブ熱交換器。
【請求項５】
請求項１〜４のいずれか１項に記載のフィンチューブ熱交換器を備える冷凍サイクル装置。
【発明の詳細な説明】
【技術分野】
【０００１】
本発明は、特に、冷媒の熱交換に用いられるフィンチューブ熱交換器に関するものである。
【背景技術】
【０００２】
従来、この種のフィンチューブ形熱交換器としては、所定間隔のフィンピッチで並べられたフィン２０と、フィン２０に略直角に挿入されて貫通する伝熱管２２とから構成されている。
【０００３】
熱交換器には、送風機（図示せず）などによって導入された気流１００（例えば空気）が、積層されたフィン２０の間隙を流動しながら、フィン２０を介して伝熱管２２の内部を流通する流体（例えばＲ４１０ａ、二酸化炭素などの冷媒）と熱交換を行う。
【０００４】
また、伝熱管２２の内部を流通する流体は、一般的には、液相と気相の二相状態にあって、気流１００との熱交換によって液相が蒸発し、過熱ガスとなって熱交換器から流出する。
【０００５】
このようなフィンチューブ熱交換器において、特に低外気温時の耐着霜性を向上させて暖房能力の向上を図ったものがある（例えば、特許文献１参照）。
【０００６】
図７（ａ）は、特許文献１に記載の従来のフィンチューブ熱交換器を構成するフィンの正面要部拡大図である。
【０００７】
図７（ｂ）は、図７（ａ）のＡ−Ａ断面図であり、図７（ｃ）は、フィンの積層状態を示す断面図である。
【０００８】
図７（ａ）のフィン２０には、伝熱管２２を挿通して拡管固着するための円筒状のカラー部２３が設けられ、また、矢印で示す熱交換用の空気流１００に対して、フィン２０の中央部を境にした風上側に、空気流１００に対して山と谷が交互に出現する緩やかな傾斜を有する折曲部２４が形成される。さらに、フィン２０には、空気流１００に対して伝熱管２２の中心よりも風下側かつ、鉛直方向に対して隣り合う伝熱管２２の間に、スリット状の切り起こし２５が設けられている。このようなフィン２０を図７（ｃ）に示すように積層して使用する。
【０００９】
このように、着霜の恐れが少ないフィン２０の風下側のみに、空気流の温度境界層を再形成して伝熱を促進させる切り起こし２５を設けることで、フィン２０の風上側に切り起こしを設けた場合と比較して、着霜による性能低下防止を図っている。
【先行技術文献】
【特許文献】
【００１０】
【特許文献１】特開２００１−０９１１０１号公報
【発明の概要】
【発明が解決しようとする課題】
【００１１】
しかしながら、前記従来の構成では、切り起こし２５を設けるフィン２０の風下側を平面状に形成している。よって、気流１００とフィン２０との接触面積（伝熱面積）が減少してしまう。すなわち、耐着霜性を向上させるがために、通常運転時の伝熱性能を低下さ
せることとなり、熱交換性能が低下するという課題を有していた。
【００１２】
また、前記従来の構成では、切り起こし２５は、気流１００の風上側に開口部２５ａを有していることから、切り起こし２５によって、気流１００の風上側に前縁部２５ｂが形成される。よって、切り起こし２５がフィン風下側のみに配設されていたとしても、低外気温時の暖房運転においては、運転時間の経過とともに前縁部２５ｂから着霜が生じ、開口部２５ａが着霜によって閉鎖されて、通風抵抗の増加や伝熱性能の低下が生じるという課題を有していた。
【００１３】
本発明は、前記従来の課題を解決するもので、耐着霜性を向上させるとともに、フィンの伝熱面積最大化と、切り起こしによる乱流促進とを図ることで、熱交換性能に優れたフィンチューブ熱交換器を提供することを目的とする。
【課題を解決するための手段】
【００１４】
前記従来の課題を解決するため、本発明は、積層される複数のフィンと、前記フィンを貫通する複数の伝熱管と、を備え、前記フィンは気流方向に対して山と谷が交互に出現するコルゲート状に形成されるとともに、気流方向に対して前記フィンの中央より風下側、かつ、鉛直方向に隣接する伝熱管の間の、前記山の稜線上にルーバーを設けたフィンチューブ熱交換器である。
【００１５】
これにより、気流方向に対して、フィン中央より風下側にルーバーを設けたことで耐着霜層性を向上させ、また、フィン全体をコルゲート形状に形成するとともに、コルゲート形状によって出現する山谷形状を活用してルーバーを形成するので、フィンの伝熱面積を最大限に増大させ、また、積層されたフィン間を流動する空気流を衝突させて乱流促進を図ることができるので、熱交換性能に優れたフィンチューブ熱交換器を提供することができる。
【発明の効果】
【００１６】
本発明によれば、耐着霜性を向上させると共に、伝熱面積の増大と、気流の乱流化を促進した、熱交換性能に優れたフィンチューブ熱交換器を提供することができる。
【図面の簡単な説明】
【００１７】
【図１】本発明の実施の形態１におけるフィンチューブ熱交換器の構成図
【図２】本発明の実施の形態１におけるフィンの要部拡大斜視図
【図３】（ａ）同フィンの正面要部拡大図（ｂ）図３（ａ）のＡ−Ａ断面図
【図４】同フィンのルーバーの山部稜線方向の長さの説明図
【図５】同フィンのルーバーの他の形状を示す要部拡大斜視図
【図６】同フィンのルーバーの立ち上がり面による死水域への気流誘導の説明図
【図７】（ａ）従来のフィンチューブ熱交換器のフィンの正面要部拡大図、（ｂ）図７（ａ）のＡ−Ａ断面図、（ｃ）同フィンの積層状態を示す断面図
【発明を実施するための形態】
【００１８】
第１の発明は、積層される複数のフィンと、前記フィンを貫通する複数の伝熱管と、を備え、前記フィンは気流方向に対して山部と谷部が交互に出現するコルゲート状に形成されるとともに、気流方向に対して前記フィンの中央より風下側、かつ、鉛直方向に隣接する伝熱管の間の、前記山部の稜線上にルーバーを設けたフィンチューブ熱交換器である。
【００１９】
これにより、空気流に対して、フィン中央より下流側にルーバーを設けたことで、耐着霜層性を向上させ、また、コルゲート形状のフィンによって、伝熱面積の増大を図るとともに乱流促進を図ることができる。
【００２０】
また、山部の稜線上にルーバーを設けたので、積層されるフィンの山部と谷部とを通過する気流が、ルーバーの開口部において衝突することでさらに乱流が促進される。さらに、ルーバーを通過する空気により温度境界層を再形成させ、ルーバーによって形成される前縁部の熱伝達を促進させることができる。
【００２１】
つまり、コルゲート形状によって出現する山谷形状を有効活用してルーバーを形成するので、フィンの伝熱面積を最大限に増大させ、また、積層されたフィン間を流動する空気流を衝突させて乱流促進を図ることができる。
【００２２】
よって、耐着霜性の向上、伝熱面積増大、乱流促進、前縁効果、温度境界層の再形成が複合し、高い伝熱性能を得ることが可能となる。
【００２３】
第２の発明は、特に第１の発明において、前記ルーバーは、前記山部の稜線より風下側のフィンが立ち上げられて形成され、前記ルーバーは、気流方向に対して風下側のみに開口する開口部を有するものである。
【００２４】
これにより、着霜が生じやすいルーバーの前縁部をより風下側に位置させることができるので、耐着霜性をさらに向上させることができる。
【００２５】
第３の発明は、特に第１または第２の発明において、前記開口部の両端に形成される立ち上がり面は、気流方向に対して傾斜しているものである。
【００２６】
これにより、ルーバーの端部に接触した空気流は、伝熱管の風下側の死水域に誘導され、フィンの伝熱性能が向上する。また、ルーバー両端の立ち上がり面が水平方向に対して傾斜していることで、ルーバーに生じる凝縮水が滞留せずにフィン表面へと流れ落ち、通風抵抗の増加を抑制することができる。
【００２７】
第４の発明は、特に第１から第３の発明において、前記ルーバーと、前記ルーバーと隣接する２つ伝熱管との最短距離を、それぞれＬ１ＡおよびＬ１Ｂとしたとき、Ｌ１ＡとＬ１Ｂとの和は、２つの前記伝熱管の間の最短距離Ｌ２と同一、または、２つの前記伝熱管の間の最短距離Ｌ２よりも大きいものである。
【００２８】
これにより、低外気温時に運転時間が経過して、最終的にルーバーが着霜により閉塞した場合でも、ルーバーの両端と２つの伝熱管との最短距離Ｌ１ａおよびＬ１ｂの和が、２つの伝熱管の間の最短距離Ｌ２に対して、同等以上となるように、ルーバーの長さが設定されているので、フィンを流通する空気流の通風抵抗の過度な増加を抑制することができ、熱伝達性能の低下や、送風機への入力増加を抑制することができる。
【００２９】
以下、本発明の実施の形態について、図面を参照しながら説明する。なお、この実施の形態によって本発明が限定されるものではない。
【００３０】
（実施の形態１）
図１は、本発明の実施の形態１におけるフィンチューブ熱交換器の構成図、図２は、同フィンチューブ熱交換器を構成するフィンの要部拡大斜視図である。図３（ａ）は、同フィンの正面要部拡大図、図３（ｂ）は、図３（ａ）のＡ−Ａ断面図である。
【００３１】
図１において、本発明の実施の形態１にかかるフィンチューブ形熱交換器は、所定間隔のフィンピッチで並べられたフィン１と、フィン１に略直角に挿入されて貫通する伝熱管２を備える。
【００３２】
熱交換器には、送風機（図示せず）などによって導入された気流１００（例えば空気）が、積層されたフィン１の間隙を流動しながら、フィン１を介して伝熱管２の内部を流通する流体と熱交換を行う。伝熱管２の内部を流通する流体は、一般的には、液相と気相の二相状態にあって、気流１００との熱交換によって液相が蒸発し、過熱ガスとなって熱交換器から流出する。
【００３３】
伝熱管２に流す冷媒としては、ＨＦＣ冷媒、ＨＦＯ冷媒、ＨＣ冷媒、ＣＯ２冷媒、または、これらの混合冷媒を用いることができる。これにより、オゾン層の破壊がなく、またＨＣ冷媒あるいはＣＯ２冷媒は地球温暖化係数が小さいなど環境に配慮した空気調和機や冷凍機などの商品とすることができる。
【００３４】
図２、図３（ａ）および（ｂ）において、フィン１は、気流１００方向に対して、山部６ａ、谷部７、山部６ｂが交互に出現するＷ型のコルゲート形状（他に、波形状、ワッフル状などとも呼ばれる）に形成されており、８は、伝熱管２が挿入されるフィンカラー３の周囲に気流１００を案内するために設けられた平坦な座部である。
【００３５】
この構成により、気流１００の風上側から順に、フィン１の風上側端部と山部６ａとの間の傾斜面１１ａ、山部６ａと谷部７との間の傾斜面１１ｂ、谷部７と山部６ｂとの間の傾斜面１１ｃ、および、山部６ｂとフィン１の風下側端部との間の傾斜面１１ｄが形成される。
【００３６】
９は、気流方向に対してフィン１の風下側の山部６ｂの稜線１０上に設けられたルーバーである。
【００３７】
ルーバー９は、下流側の山部６ｂの稜線１０よりも風下側のフィン１に切り込みを入れ、山部６ｂの稜線１０を支点（支点となる稜線１０を稜線１０ｂとして点線で示す）に、フィンカラー３が形成される方向にフィン１を立ち上げて形成される。このとき、ルーバー９の両端の立ち上がり面９ｃは、フィン１の傾斜面１１ｄと連続した状態である。
【００３８】
これにより、ルーバー９の開口側の端部９ａは、気流１００に対して山部６ｂの稜線１０よりも風下側に配設され、端部が気流方向風上側に向かった前縁端部９ｂが形成される。
【００３９】
また、図３（ｂ）の断面に示すように、ルーバー９の長手面１２は、ルーバー９より風上側の谷部７からルーバー９の端部９ａまで一直線状になるように形成されている。すなわち、ルーバー９は、谷部７から山部６ｂに向かう傾斜面１１ｃが、山部６ｂの稜線１０よりも延設されることによって形成されている。
【００４０】
さらに、ルーバー９の両端は、立ち上がり面９ｃによって、傾斜面１１ｄと接続されており、立ち上がり面９ｃは、気流１００に対して傾斜している。ここで、立ち上がり面９ｃは、ルーバー９の両端の距離が風下側に向かって長くなるように傾斜して形成される。
【００４１】
また、図４に示すように、ルーバー９は、両端の立ち上がり面９ｃと、ルーバー９に隣接し、伝熱管２が挿入されるフィンカラー３との最短距離をＬ１ａ及びＬ１ｂ、鉛直方向に隣接するフィンカラー３間の最短距離をＬ２とするとき、Ｌ１ａ＋Ｌ１ｂ≧Ｌ２の関係を満足するように形成される。
【００４２】
以上のように構成されたフィンチューブ熱交換器について、以下にその動作および作用を説明する。
【００４３】
本実施の形態におけるフィンチューブ熱交換器は、気流方向に対して山部６ａ、谷部７、山部６ｂ、が交互に出現する。これにより、フィン１と気流との接触面積（伝熱面積）を最大限に増大させることができる。また、積層されたフィン１の風上部１ａにおいて、フィン１の間隙を通過する気流１００は、交互に出現する山部６ａ、６ｂ、谷部７によって蛇行流となり、乱流が促進される。
【００４４】
さらに、フィンの風下部１ｂにおいては、風下側の山部６ｂを通過する気流と、ルーバー９を通過する気流が、図３（ｂ）に示すように衝突し、乱流化がさらに促進される。
【００４５】
また、ルーバー９の切り起こし元の前縁端部９ｂにおいては、気流１００が前縁端部９ｂに接触する前縁効果により熱伝達が促進されるとともに前縁端部９ｂ通過後の気流は温度境界層が再形成されように動作する。
【００４６】
以上の、伝熱面積増大効果、乱流促進効果、前縁効果、温度境界層の再形成効果が複合し、高い伝熱性能を得ることが可能となる。
【００４７】
また、ルーバー９は、山部６ｂの稜線１０よりさらに下流側に前縁端部９ｂを設けており、特に、フィンの温度が０℃未満となって熱交換器への着霜がある運転条件で動作させる場合でも、フィン１全体に形成されたコルゲート形状によって、ルーバー９の前縁端部９ｂに気流が到達する段階で、空気との温度差が少なくなっているため、着霜の恐れが少なく、伝熱性能を長時間維持することができる。
【００４８】
また、ルーバー９の開口部９ｄが着霜で最終的に閉塞した場合であっても、ルーバー９とルーバー９と隣接する２つのフィンカラー３との最短距離Ｌ１ａおよびＬ１ｂの総和が、フィンカラー３間の最短距離Ｌ２以上となる大きさに、ルーバー９が形成されるので、フィン１を流通する空気流の通風抵抗は過度に増加することなく、熱伝達性能の大幅な低下や、送風機の入力増加を抑制することができる。
【００４９】
なお、ルーバー９の鉛直方向の長さは、Ｌ１ａ＋Ｌ１ｂ≧Ｌ２の関係を満たしていれば、低外気温時の耐着霜性を向上させ、通風抵抗の増加を抑制するために、図５に示すように、さらに短く設定してもよい。
【００５０】
また、図６に示すように、ルーバー９の両端の立ち上がり面９ｃが、気流１００に対して最も近接するフィンカラー３に近づくように傾斜して形成されるので、気流１００は、立ち上がり面９ｃとフィンカラー３の間での圧縮作用を受けて、フィンカラー３の下流側の死水域に誘導されるため、フィン１の風下部１ｂの熱伝達性能がさらに向上する。
【００５１】
また、暖房運転条件において、フィン１に凝縮水が付着し、ルーバー９に凝縮水が溜まるような場合でも、立ち上がり面９ｃが傾斜しているため、ルーバー９に凝縮水が滞留せずにフィンの鉛直下方へと流れ落ち、通風抵抗を増大させることがなく、フィンチューブ熱交換器に送風する送風機の入力の増大や熱伝達性能低下を抑制できる。
【００５２】
以上のように、本実施の形態では、フィンの伝熱性能と、耐着霜性の向上と、着霜時の通風抵抗増加を抑制できる、熱交換性能に優れたフィンチューブ熱交換器を得ることができる。
【００５３】
なお、本実施の形態では、フィンカラー３を円筒状に、すなわち、伝熱管が円筒形状である場合を想定して記載したが、伝熱管は円筒形状でなくてもよく、例えば、偏平管でもよい。
【産業上の利用可能性】
【００５４】
以上のように、本発明にかかるフィンチューブ熱交換器は、耐着霜性の向上、伝熱面積の増大、乱流の促進を図ることにより、熱交換性能を向上させることができるので、空気調和装置、給湯装置などの用途として使用される種々の冷凍サイクル装置の熱交換器として適用することができる。
【符号の説明】
【００５５】
１  フィン
６ａ、６ｂ  山部
７  谷部
９  ルーバー
９ａ  端部
９ｂ  前縁端部
９ｃ  立ち上がり面
９ｄ  開口部
１０、１０ｂ  稜線
１１ａ、１１ｂ、１１ｃ、１１ｄ  傾斜面
１２  長手面
１００  気流
Ｌ１ａ、Ｌ１ｂ  ルーバーとフィンカラーとの最短距離
Ｌ２  フィンカラー間の最短距離
【図１】
2014089019.tif 000003
【図７】
2014089019.tif 000004
【図２】
2014089019.tif 000005
【図３】
2014089019.tif 000006
【図４】
2014089019.tif 000007
【図５】
2014089019.tif 000008
【図６】
2014089019.tif 000009